(57)【要約】【課題】機能の拡大と使用中に変形することが可能な鎖型折り畳み式携帯電話を提供すること。【解決手段】メインフレームモジュール、ディスプレイモジュール、２個以上の二軸接続ブロック、および拡大可能または外延モジュールからなり、外延モジュールは、拡張可能モジュールの補充コネクタ、およびその２個のモジュールの隣接端は、相互に接続されることができ、一方、それらの遠位端は、それぞれ一つの二軸接続ブロックの軸の一つに接続される。【選択図】図１
0003139122.tif 000002
【実用新案登録請求の範囲】
【請求項１】
鎖型折り畳み式携帯電話が、情報を受信または送信するためのメインフレームモジュールと、メインフレームモジュールによって受信または送信される情報を表示するためのディスプレイモジュールと、メインフレームモジュールおよびディスプレイモジュールに対して軸をそれぞれ枢動可能に接続するための二軸接続ブロックと、を備える鎖型折り畳み式携帯電話であって、
メインフレームモジュールまたはディスプレイモジュールの一端が、他の二軸接続ブロックの一方の軸にさらに枢動可能に接続され、
二軸接続ブロックの他方の軸は、拡張可能モジュールに枢動可能に接続され、
拡張可能モジュールは、補充コネクタとして機能する外延可能モジュールに接続され、
外延可能モジュールは、さらに他の二軸接続ブロックにさらに接続され、
さらに別の拡張可能モジュールまたは外延可能モジュールがさらに接続されることを特徴とする、
鎖型折り畳み式携帯電話。
【請求項２】
請求項１において、メインフレームモジュールまたはディスプレイモジュールの他端が、さらに別の二軸接続ブロックの軸にさらに枢動可能に接続され、二軸接続ブロックの他方の軸が、さらに別の外延可能モジュールに枢動可能に接続されることを特徴とする、鎖型折り畳み式携帯電話。
【請求項３】
請求項１または請求項２において、拡張可能モジュールは、デジタルカメラモジュール、電源モジュール、メモリモジュール、ブルートゥースモジュール、ＧＰＳモジュール、ＭＰ３モジュール、および調節可能なベルトモジュールからなる群から選択されることを特徴とする、鎖型折り畳み式携帯電話。
【請求項４】
鎖型折り畳み式携帯電話が、情報を受信または送信するためのメインフレームモジュールと、メインフレームモジュールによって受信または送信される情報を表示するためのディスプレイモジュールと、メインフレームモジュールおよびディスプレイモジュールに対して軸をそれぞれ枢動可能に接続するための二軸接続ブロックと、を備える鎖型折り畳み式携帯電話であって、
メインフレームモジュールまたはディスプレイモジュールの一端が、他の二軸接続ブロックの一方の軸にさらに枢動可能に接続され、
二軸接続ブロックの他方の軸は、外延可能モジュールに枢動可能に接続され、
外延可能モジュールは、補充コネクタとして機能する拡張可能モジュールに接続され、
拡張可能モジュールは、さらに他の二軸接続ブロックにさらに接続され、
さらに別の拡張可能モジュールまたは外延可能モジュールがさらに接続されることを特徴とする、
鎖型折り畳み式携帯電話。
【考案の詳細な説明】
【技術分野】
【０００１】
本考案は、鎖型折り畳み式携帯電話に関し、より具体的には、機能を拡大すること、および使用中に変形することが可能な鎖型折り畳み式携帯電話に関する。
【背景技術】
【０００２】
先行技術において、折り畳み式携帯電話は、一般に、ディスプレイモジュールおよびメインフレームモジュールを有し、ディスプレイモジュールは、単軸によってメインフレームモジュールと枢動可能に接続される。従って、折り畳み式携帯電話は、小型で持ち運び可能であるという利点を有し、それは、ディスプレイモジュールが、メインフレームモジュールに対して上方に１８０度引き起こされる、またはメインフレームモジュールを覆うことができるからである。
【０００３】
その他の従来の折り畳み式携帯電話も、ディスプレイモジュールおよびメインフレームモジュールを有するが、ディスプレイモジュールおよびメインフレームモジュールは、それぞれ二軸接続ブロックの軸の各々に枢動可能に接続される。そのような折り畳み式携帯電話のディスプレイモジュールは、０から３６０度まで調節可能な使用角度を有し、より具体的には、折り畳み式携帯電話の使用および機能は、メインフレームモジュールの背部に対してディスプレイモジュールを３６０度逆に折り畳む事によって拡張され、向上されることができる。
【考案の開示】
【考案が解決しようとする課題】
【０００４】
それでもなお、上述の従来の携帯電話は、表向きまたは逆向きに折り畳んだり、使用中に変形することができない。
【課題を解決するための手段】
【０００５】
本考案の一つの目的は、機能を拡大することおよび使用中に変形することが可能なメインフレームモジュール、ディスプレイモジュール、２個以上の二軸接続ブロック、および拡張可能モジュールまたは外延モジュールからなる、鎖型折り畳み式携帯電話を提供することであり、拡張可能モジュールは、デジタルカメラモジュール、電源モジュール、メモリモジュール、ブルートゥースモジュール、ＧＰＳモジュール、ＭＰ３モジュール、および調節可能なベルトモジュールからなる群から選ばれる。加えて、外延モジュールは、拡張可能モジュールの補充コネクタであり、２個のモジュールの隣接端は、相互に接続されることができ、一方それらの遠位端は、それぞれ一つの二軸接続ブロックの軸の一つに接続されることができる。二軸接続ブロックの枢動接続を使用することによって、メインフレームモジュールがディスプレイモジュールに枢動可能に接続されるだけでなく、様々な機能の複数の外延モジュールおよび拡張可能モジュールがさらに枢動可能に接続され、それによって、機能を拡大することおよび使用中に変形することが可能な鎖型折り畳み式携帯電話を構成する。
【考案を実施するための最良の形態】
【０００６】
図１乃至図３に示されるように、本考案の好ましい実施形態に係る鎖型折り畳み式携帯電話１０は、３つの異なる基本構造を有するが、その３つの基本構造の全てが、機能を拡大することおよび使用中に変形することが可能である。
【０００７】
図１に示されるように、第１の好ましい実施形態の基本構造は、メインフレームモジュール２０、ディスプレイモジュール３０、拡張可能モジュール４０、および枢動可能に接続された２個の二軸接続ブロック６０を含む。メインフレームモジュール２０は、二軸接続ブロック６０を使用ずることによってディスプレイモジュール３０に枢動可能に接続される。拡張可能モジュール４０は、他方の二軸接続ブロック６０を使用することによってメインフレームモジュール２０またはディスプレイモジュール３０に枢動可能に接続される。
【０００８】
図５および図６に示されるように、鎖型折り畳み式携帯電話１０の拡張可能モジュール４０は、その他の外延モジュール５０に接続されることができ、さらに、他の二軸接続ブロック６０を接続することによって、接続された外延モジュール５０が、さらに別の拡張可能モジュール４０または外延モジュール５０にさらに接続されることができ、それによって、鎖型折り畳み式携帯電話１０の使用を拡大し、使用中に変形する。
【０００９】
図２に示されるように、第２の好ましい実施形態の基本構造は、メインフレームモジュール２０、ディスプレイモジュール３０、外延モジュール５０、および枢動可能に接続された２個の二軸接続ブロック６０を含み、メインフレームモジュール２０は、二軸接続ブロック６０を使用することによってディスプレイモジュール３０に枢動可能に接続される。外延モジュール５０は、他方の二軸接続ブロック６０を使用することによってメインフレームモジュール２０またはディスプレイモジュール３０に枢動可能に接続される。
【００１０】
図５および図６に示されるように、鎖型折り畳み式携帯電話１０の外延モジュール５０は、別の拡張可能モジュール４０に接続されることができ、さらに、他の二軸接続ブロック６０を接続することによって、接続された拡張可能モジュール４０は、さらに他の拡張可能モジュール４０または外延モジュール５０さらに接続されることができ、それによって、鎖型折り畳み式携帯電話１０の使用を拡大し、使用中に変形する。
【００１１】
図３に示されるように、第３の好ましい実施形態の基本構造は、メインフレームモジュール２０、ディスプレイモジュール３０、拡張可能モジュール４０、外延モジュール５０、および枢動可能に接続された３個の二軸接続ブロック６０を含み、メインフレームモジュール２０は、二軸接続ブロック６０を使用することによってディスプレイモジュール３０に枢動可能に接続される。拡張可能モジュール４０は、他の二軸接続ブロック６０を使用することによって、メインフレームモジュール２０またはディスプレイモジュール３０に枢動可能に接続される。同様に、外延モジュール５０は、さらに他の二軸接続ブロック６０を使用することによってメインフレームモジュール２０またはディスプレイモジュール３０に枢動可能に接続される。
【００１２】
図５および図６に示されるように、鎖型折り畳み式携帯電話１０の外延モジュール５０は、別の拡張可能モジュール４０に接続されることができ、鎖型折り畳み式携帯電話１０の拡張可能モジュール４０は、別の外延モジュール５０にさらに接続されることができ、加えて、二軸接続ブロックをそれぞれ接続することによって、接続された拡張可能モジュール４０または外延モジュール５０は、さらに別の拡張可能モジュール４０または外延モジュール５０にさらに接続されることができ、それによって、鎖型折り畳み式携帯電話１０の使用を拡大し、使用中に変形する。
【００１３】
図４に示されるように、各接続ブロック６０は、軸７０がそれぞれその中に配置されて二軸構造を構成するための２個の枢動孔６１を有する。加えて、接続ブロック６０は、接続ブロック６０が音声受信または送信機能を有するため、またはデジタルカメラレンズまたはＵＳＢソケットを備えるための、内部に配置されたフレキシブルフラットケーブルまたはＰＣＢを有することができる。
【００１４】
図５に示されるように、外延モジュール５０は、拡張可能モジュール４０の補充（予備）コネクタである。その２個のモジュールの隣接端は、相互に接続されることができ、一方それらの遠位端は、それぞれ一つの二軸接続ブロック６０の軸７０の内の一つに接続されることができる。
【００１５】
例えば、ソケット４２が、拡張可能モジュール４０の一端に配置される場合、対応するほぞ５２は、外延モジュール５０の一端に配置される。ほぞ５２およびソケット４２の接続によって、拡張可能モジュール４０および外延モジュール５０が接続されて使用される。同様に、ほぞ（図示せず）が拡張可能モジュール４０の一端に配置される場合、対応するソケット（図示せず）は、外延モジュール５０一端に配置される。
【００１６】
メインフレームモジュール２０およびディスプレイモジュール３０の一方または両方の端は、接続端として使用され、一方、拡張可能モジュール４０および外延モジュール５０の一端は、接続端として使用され、各接続端は、接続溝Ｂおよび一対の枢動接続部品Ａ１およびＡ２を有する。接続溝Ｂは、対応する接続ブロック６０が内部に枢動可能に配置されるためであり、加えて、円形スロットＣが、二軸接続ブロック６０の軸７０の一つを枢動可能に受け入れるために、枢動接続溝Ｂに面する接続部品Ａ１およびＡ２の２つの側面にそれぞれ配置される。従って、図５に示されるように、メインフレームモジュール２０およびディスプレイモジュール３０は、二軸接続ブロック６０の２つの軸７０を使用することによって枢動可能に接続されることができる。同様に、拡張可能モジュール４０または外延モジュール５０は、二軸接続ブロック６０の２つの軸７０を使用することによってメインフレームモジュール２０およびディスプレイモジュール３０に枢動可能に接続されることができる。同様に、図５および図６に示されるように、拡張可能モジュール４０または外延モジュール５０は、二軸接続ブロック６０の２つの軸７０を使用することによって、さらに他の拡張可能モジュール４０または外延モジュール５０にさらに接続されることができる。
【００１７】
メインフレームモジュール２０は、情報受信または送信機能を有する携帯電話モジュールであり、情報の出力または入力を制御するためのプレス型またはタッチ型ボタン２１を有する。
【００１８】
ディスプレイモジュール３０は、情報表示機能を有する携帯電話モジュールであって、入力された／出力された情報を表示するための画面３１を有する。
【００１９】
拡張可能モジュール４０は、本考案の鎖型折り畳み式携帯電話１０の使用を拡大するための携帯電話モジュールであり、特定の目的の電子装置モジュールまたは電子機能を有さない接続モジュールであることができる。拡張可能モジュール４０は、図１に示されるようなレンズ４１を有するデジタルカメラモジュール、電源モジュール、メモリモジュール、ブルートゥースモジュール、ＧＰＳモジュール、およびＭＰ３モジュールから構成されるグループから選択されるのに適している。電子機能を有さない接続モジュールは、調節可能なベルトモジュールであることができる。消費者は、調節可能なベルトモジュールを使用して、ウエスト周りに鎖型折り畳み式携帯電話１０を取り付ける、または肩に袈裟懸けにして携行することができる。
【００２０】
鎖型折り畳み式携帯電話１０の拡張可能モジュール４０が、電源モジュールまたはメモリモジュールである時、本考案の鎖型折り畳み式携帯電話１０の電力容量またはメモリ容量は、２倍にされる。そうでなければ、図３に示されるように、第３の好ましい実施形態における鎖型折り畳み式携帯電話１０が、３個の拡張可能モジュール４０、３個の外延モジュール５０、および３個の二軸接続ブロック６０に接続される時、表向きまたは逆向きに折り畳むまたは引き伸ばすことが可能な携帯電話が構成される。
【００２１】
そうでなければ、図６に示されるように、第３の好ましい実施形態における鎖型折り畳み式携帯電話１０が、２個の拡張可能モジュール４０、２個の外延モジュール５０、および２個の二軸接続ブロック６０に接続される時、五角形の携帯電話が構成される。
【００２２】
従って、本考案に係る鎖型折り畳み式携帯電話１０は、機能を拡大すること、および使用中に変形することが可能である。
【図面の簡単な説明】
【００２３】
【図１】本考案の一つの好ましい実施形態に係る鎖型折り畳み式携帯電話の第１の基本構造を示す斜視図である。
【図２】本考案の別の好ましい実施形態に係る鎖型折り畳み式携帯電話の第２の基本構造を示す斜視図である。
【図３】本考案のさらに別の好ましい実施形態に係る鎖型折り畳み式携帯電話の第３の基本構造を示す斜視図である。
【図４】本考案の一つの好ましい実施形態に係る鎖型折り畳み式携帯電話を示す部分分解図である。
【図５】鎖型折り畳み式携帯電話が、拡張可能モジュールまたは外延モジュールを使用することによって、機能を拡大し、使用中に変形することを示す斜視図である。
【図６】鎖型折り畳み式携帯電話が、拡張可能モジュールまたは外延モジュールを使用することによって、五角形の携帯電話になることを示す斜視図である。
【図１】
0003139122.tif 000003
【図２】
0003139122.tif 000004
【図３】
0003139122.tif 000005
【図４】
0003139122.tif 000006
【図５】
0003139122.tif 000007
【図６】
0003139122.tif 000008